(57)【要約】【課題】抗菌性を有するエクステンション用まつげを提供する。【解決手段】まつげ５０の長さを延長するエクステンション用まつげ１００であって、先端部１１と末端部１５とを有する人工まつげ本体部１０と、人工まつげ本体部１０に含有された銀イオン３０とを備え、人工まつげ本体部１０の末端部１５の径は、先端部１１の径よりも太い。【選択図】図２
2012219428.tif 000002
【特許請求の範囲】
【請求項１】
まつげの長さを延長するエクステンション用まつげであって、
先端部と末端部とを有する人工まつげ本体部と、
前記人工まつげ本体部に含有された銀イオンと
を備え、
前記人工まつげ本体部の末端部の径は、先端部の径よりも太いことを特徴とする、エクステンション用まつげ。
【請求項２】
前記人工まつげ本体部は、樹脂から構成されており、
前記銀イオンは、前記樹脂に分散されている、請求項１に記載のエクステンション用まつげ。
【請求項３】
前記樹脂は、ポリブチレンテレフタレートであり、
前記人工まつげ本体部の断面は円形形状を有している、請求項１または２に記載のエクステンション用まつげ。
【請求項４】
前記人工まつげ本体部の断面は多面形を有している、請求項１または２に記載のエクステンション用まつげ。
【請求項５】
前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている、請求項１から４の何れか１つに記載のエクステンション用まつげ。
【請求項６】
前記銀イオンの配合割合（質量％）は、１０％以下である、請求項１から５の何れか１つに記載のエクステンション用まつげ。
【請求項７】
エクステンション用まつげの製造方法であって、
樹脂に銀イオンを配当して混合する工程と、
前記樹脂および前記銀イオンの混合物を、人工まつげ本体部の形状を規定する開口部を有する金型から押し出しする工程と、
前記押し出しした繊維状の材料を、人工まつげ本体部の長さに切断する工程と
を含む、エクステンション用まつげの製造方法。
【請求項８】
前記切断する工程の後、前記人工まつげ本体部の一部を薬品に浸す工程を実行する、請求項７に記載のエクステンション用まつげの製造方法。
【請求項９】
着色の明示
前記樹脂は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている、請求項７または８に記載のエクステンション用まつげの製造方法。
【請求項１０】
銀イオンの割合
前記樹脂に対する前記銀イオンの配合割合（質量％）は、１０％以下である、請求項７から９の何れか１つ記載のエクステンション用まつげの製造方法。
【請求項１１】
前記樹脂は、ポリブチレンテレフタレートであり、
前記金型は、前記人工まつげ本体部の断面が円形形状となるような前記開口部を有している、請求項７から１０の何れか１つに記載のエクステンション用まつげの製造方法。
【請求項１２】
前記金型は、前記人工まつげ本体部の断面が多角形となるような前記開口部を有している、請求項７から１０の何れか１つに記載のエクステンション用まつげの製造方法。
【請求項１３】
エクステンション用まつげの取付け方法であって、
前記エクステンション用まつげは、
先端部と末端部とを有する人工まつげ本体部と、
前記人工まつげ本体部に含有された銀イオンと
を備え、
前記人工まつげ本体部は、樹脂から構成されており、
前記銀イオンは、前記樹脂に分散されており、
前記人工まつげ本体部の前記末端部に接着剤を塗布する工程と、
前記人工まつげ本体部の前記末端部に前記接着剤が塗布された状態で、前記接着剤をまつげに付ける工程と
を含む、エクステンション用まつげの取付け方法。
【請求項１４】
前記接着剤をまつげに付ける工程においては、ピンセットまたは手の一方で前記人工まつげ本体部を掴んで、前記まつげの近くに持っていくことを含む、請求項１３に記載のエクステンション用まつげの取付け方法。
【請求項１５】
前記樹脂は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている、請求項１４に記載のエクステンション用まつげの取付け方法。
【請求項１６】
前記樹脂に対する前記銀イオンの配合割合（質量％）は、１０％以下である、請求項１３から１５の何れか１つ記載のエクステンション用まつげの取付け方法。
【発明の詳細な説明】
【技術分野】
【０００１】
本発明は、エクステンション用まつげに関し、特に、抗菌効果を持ったエクステンション用まつげに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂エクステンションと呼ばれる人工まつげが提案されている（例えば、特許文献３など）。このエクステンション（人工まつげ）は、まぶたには接着せずに、接着剤を用いてまつげに直接接着するため、装着感が良く、皮膚がかぶれるおそれが少ない。また、エクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００５】
エクステンションは、直接まぶたには装着しないので、皮膚がかぶれるおそれが少なく、それゆえに、エクステンションに抗菌性を持たせるという発想が、エクステンション業界にはなかった。しかしながら、エクステンションは常時まつげに装着しているものであるので、エクステンションに雑菌が繁殖することは好ましくない。
【０００６】
本発明はかかる点に鑑みてなされたものであり、その主な目的は、抗菌性を有するエクステンション用まつげを提供することにある。
【課題を解決するための手段】
【０００７】
本発明に係るエクステンション用まつげは、まつげの長さを延長するエクステンション用まつげであり、先端部と末端部とを有する人工まつげ本体部と、前記人工まつげ本体部に含有された銀イオンとを備え、前記人工まつげ本体部の末端部の径は、先端部の径よりも太い。
【０００８】
ある好適な実施形態において、前記人工まつげ本体部は、樹脂から構成されており、前記銀イオンは、前記樹脂に分散されている。
【０００９】
ある好適な実施形態において、前記樹脂は、ポリブチレンテレフタレートであり、前記人工まつげ本体部の断面は円形形状を有している。
【００１０】
ある好適な実施形態において、前記人工まつげ本体部の断面は多面形を有している。
【００１１】
ある好適な実施形態において、前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている。
【００１２】
ある好適な実施形態において、前記銀イオンの配合割合（質量％）は、１０％以下である。
【００１３】
本発明に係るエクステンション用まつげの製造方法は、樹脂に銀イオンを配当して混合する工程と、前記樹脂および前記銀イオンの混合物を、人工まつげ本体部の形状を規定する開口部を有する金型から押し出しする工程と、前記押し出しした繊維状の材料を、人工まつげ本体部の長さに切断する工程とを含む。
【００１４】
ある好適な実施形態では、前記切断する工程の後、前記人工まつげ本体部の一部を薬品に浸す工程を実行する。
【００１５】
ある好適な実施形態において、前記樹脂は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている。
【００１６】
ある好適な実施形態において、前記樹脂に対する前記銀イオンの配合割合（質量％）は、１０％以下である。
【００１７】
ある好適な実施形態において、前記樹脂は、ポリブチレンテレフタレートであり、前記金型は、前記人工まつげ本体部の断面が円形形状となるような前記開口部を有している。
【００１８】
ある好適な実施形態において、前記金型は、前記人工まつげ本体部の断面が多角形となるような前記開口部を有している。
【００１９】
本発明に係る取付け方法は、エクステンション用まつげの取付け方法であり、前記エクステンション用まつげは、先端部と末端部とを有する人工まつげ本体部と、前記人工まつげ本体部に含有された銀イオンとを備え、前記人工まつげ本体部は、樹脂から構成されており、前記銀イオンは、前記樹脂に分散されており、前記人工まつげ本体部の前記末端部に接着剤を塗布する工程と、前記人工まつげ本体部の前記末端部に前記接着剤が塗布された状態で、前記接着剤をまつげに付ける工程とを含む。
【００２０】
ある好適な実施形態では、前記接着剤をまつげに付ける工程においては、ピンセットまたは手の一方で前記人工まつげ本体部を掴んで、前記まつげの近くに持っていくことを含む。
【００２１】
ある好適な実施形態において、前記樹脂は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている。
【００２２】
ある好適な実施形態において、前記樹脂に対する前記銀イオンの配合割合（質量％）は、１０％以下である。
【発明の効果】
【００２３】
本発明のエクステンション用まつげによれば、人工まつげ本体部に銀イオンが含有されているので、銀イオンの抗菌効果によって、エクステンション用まつげに抗菌性を持たせることができる。
【図面の簡単な説明】
【００２４】
【図１】本発明の実施形態に係るエクステンション１００を取り付けた様子を示す図である。
【図２】本発明の実施形態に係るエクステンション１００の構成を示す斜視図である。
【図３】図２中のＡ−Ａ線に沿ったエクステンション１００の断面図である。
【図４】図２中のＢ部分におけるエクステンション１００の断面図である。
【図５】（ａ）から（ｃ）は、エクステンション１００をまつげ５０に取り付ける方法を説明する図である。
【図６】エクステンション１００を上まつげ５０に取り付けた状態を示す図である。
【発明を実施するための形態】
【００２５】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００２６】
図１を参照しながら、本発明の実施形態に係るエクステンション用まつげ１００について説明する。図１は、本実施形態のエクステンション用まつげ１００を、使用者（装着者）のまつげ５０に取り付けた様子を示す図である。
【００２７】
本実施形態のエクステンション用まつげ１００は、使用者５５のまつげ５０の長さを延長する人工まつげである。なお、本実施形態では、エクステンション用まつげを「エクステンション」と称する。
【００２８】
本実施形態のエクステンション１００は、人工まつげ本体部１０と、人工まつげ本体部１０に含有された銀イオン（Ａｇ＋）とを備えている。人工まつげ本体部１０は、まつげ型の形状を有しており、具体的には、人工まつげ本体部１０の末端部１５の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１５の端面１５ａの直径（または厚さ）は例えば０．０７ｍｍ〜０．３ｍｍである。
【００２９】
本実施形態のエクステンション１００では、末端部１５に接着剤（グルー）２０が付けられる。そして、エクステンション１００は、接着剤２０によってまつげ５０に接着されて固定される。
【００３０】
図２は、本実施形態のエクステンション１００の構成を示す斜視図である。図３は、図２中のＡ−Ａ線に沿った断面図を示している。図４は、図２中のＢ部分における断面図を示している。
【００３１】
本実施形態の構成では、人工まつげ本体部１０は、樹脂１２から構成されており、そして、銀イオン（Ａｇ＋）３０は、樹脂１２に分散されている。なお、図３及び図４における銀イオン３０の表記は、説明のための模式的なものである。図３及び図４では、末端部１５における直径φを表記している。
【００３２】
本実施形態の人工まつげ本体部１０を構成する樹脂は、例えば、ポリブチレンテレフタレート、ポリエステル、アクリル、塩化ビニール、ナイロンから構成されている。この例の人工まつげ本体部１０は、ポリブチレンテレフタレート（ＰＢＴ）から構成されている。なお、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。
【００３３】
本実施形態の人工まつげ本体部１０は、樹脂１２に銀イオン（Ａｇ＋）３０を配合して、両者（１２、３０）を混合した後、その混合物を、人工まつげ本体部１０の形状を規定する開口部を有する金型から押し出しすることによって得ることができる。より詳細には、銀イオン３０を含有した樹脂１２を金型から押し出して、繊維状の材料を作製した後、その繊維状の材料を、人工まつげ本体部１０と同じ長さに切断する。その後、その切断で得られた人工まつげ本体部１０の一部を薬品に浸して、人工まつげ本体部１０の先端部１１を細くすることによって、本実施形態のエクステンション１００を得ることができる。
【００３４】
本実施形態の構成では、銀イオン３０を樹脂（例えば、ＰＢＴ）１２に配合する。銀イオン３０の配合割合（質量％）は、１０％以下であり、典型的には５％または５％程度である。
【００３５】
銀イオン３０が抗菌効果を有することは知られているが、エクステンション１００を構成する樹脂１２に含有された銀イオン３０が抗菌効果を有するかどうかは知られていなかった。本願発明者は、本実施形態のエクステンション１００の抗菌性について試験を行ったところ、以下の結果が得られた。
【００３６】
なお、試験方法は、ＪＩＳ  Ｌ  １９０２（２００８）の菌液吸収法である。供試菌は、黄色ぶどう球菌（Staphylococcus aureus NBRC 12732）である。試料は、界面活性剤（Tween80）を添加した試験菌懸濁液を使用した。試料Ａは、本実施形態のエクステンション１００であり、試料Ｂは、銀イオンが含有されていない比較例のエクステンションである。
【００３７】
試料Ａ（エクステンション１００）の場合、生菌数の常用対数値は、菌液接種直後４．３で、１８時間培養後４．３であり、１８時間培養後でも数値は変わらなかった。静菌活性値は２．８であった。この検査結果から、エクステンション１００に抗菌性が認められた。
【００３８】
一方、試料Ｂ（比較例）の場合、生菌数の常用対数値は、菌液接種直後４．３で、１８時間培養後６．４であり、１８時間培養後で数値の増加が確認された。静菌活性値は０．７であった。この検査結果から、比較例のエクステンションには抗菌性は認められなかった。
【００３９】
参考として、綿標準白布の場合、生菌数の常用対数値は、菌液接種直後４．３で、１８時間培養後７．２であった。ここで、抗菌効果の認定基準として、静菌活性値が２．２以上であることを利用することができる。静菌活性値は、（Ｍｂ−Ｍａ）−（Ｍｃ−Ｍｏ）で求められる。そして、静菌活性値≧２．２であると、抗菌性ありと認定することができる。
【００４０】
なお、Ｍｂは、無加工布（又は標準布）の１８時間培養後の３検体の生菌数の常用対数値の平均値である。Ｍａは、無加工布（又は標準布）の接種直後の３検体の生菌数の常用対数値の平均値である。Ｍｃは、抗菌加工布（ここでは、エクステンション材料）の１８時間培養後の３検体の生菌数の常用対数値の平均値である。Ｍｏは、抗菌加工布（ここでは、エクステンション１００）の接種直後の３検体の生菌数の常用対数値の平均値である。
【００４１】
上述のように、本実施形態のエクステンション１００では抗菌性が認められ、一方、比較例のエクステンションでは抗菌性は認められなかった。両者の抗菌性の結果の差は、顕著であった。
【００４２】
本実施形態のエクステンション１００によれば、人工まつげ本体部１０に含有された銀イオンの抗菌効果により、細菌（雑菌）の繁殖を抑制することができる。すなわち、エクステンションに抗菌性を持たせることができる。したがって、エクステンション１００の場合、それを長時間まつげ５０に付けていても、細菌の増殖による弊害を抑えることができる。
【００４３】
なお、銀イオンは、各種の細菌の細胞に強く吸着し、細菌の細胞酵素をブロッキングして死滅させることができる。したがって、銀イオンによって細菌の繁殖を制御することができる。また、銀イオンは、抗菌効果が比較的強い特徴を有するとともに、人体に対して極めて安全性が高いという特徴を有しており、したがって、エクステンション１００が間違って人間の口に入ったとしても、銀イオンによる問題は実質的に生じない。
【００４４】
次に、図５（ａ）から（ｃ）を参照しながら、本実施形態のエクステンション１００をまつげ５０に取り付ける方法を説明する。
【００４５】
まず、図５（ａ）に示すように、エクステンション１００の一部をピンセット７０で掴み、そして末端部１５に接着剤２０を塗布した状態で、エクステンション１００をまつげ５０の近くに持っていく。
【００４６】
次に、図５（ｂ）に示すように、エクステンション１００の接着剤２０をまつげ５０に付けて、エクステンション１００をまつげ５０に密着させる。そして、接着剤２０が硬化して、エクステンション１００がまつげ５０に固定されたならば、図５（ｃ）に示すように、ピンセット７０を外して、エクステンション１００の取り付けが完了する。この作業を各まつげ５０について行う。
【００４７】
本実施形態のエクステンション１００は抗菌性を有しているので、図５（ａ）から（ｃ）のいずれの段階において、ピンセット７０でなく、手の指でエクステンション１００を触ったとしても、細菌の増殖を抑制することができる。加えて、エクステンション１００をまつげ５０に装着した後に、使用者（装着者）が指でエクステンション１００を触ったとしても、細菌の増殖を抑制することが可能である。
【００４８】
図６は、上まつげ５０のそれぞれにエクステンション１００を取り付けた様子を示している。図６に示すように、数多くのエクステンション１００が上まつげ５０に取り付けられており、エクステンション１００に指や皮膚が接触する機会も増える。しかし、本実施形態のエクステンション１００は抗菌効果を有しているので、従来のエクステンションと比較して、細菌の増殖を抑制することが可能である。
【００４９】
なお、図３に示したエクステンション１００では、断面が円形であるものを示したが、それに限らず、楕円形（または実質的に楕円形または長円形）のものであっても構わない。加えて、エクステンション１００の断面を多面形（六角形、八角形など）にすることも可能であるし、断面を星形（六角形の星形、八角形の星形）にすることも可能である。
【００５０】
以上、本発明を好適な実施形態により説明してきたが、こうした記述は限定事項ではなく、勿論、種々の改変が可能である。図６に示した例では、上まつげ５０にエクステンション１００を装着したが、下まつげにエクステンション１００を装着しても構わない。
【産業上の利用可能性】
【００５１】
本発明によれば、抗菌性を有するエクステンション用まつげ（エクステンション）を提供することができる。
【符号の説明】
【００５２】
１０ 本体部
１１ 先端部
１２ 樹脂
１５ 末端部
２０ 接着剤
３０ 銀イオン（Ａｇ＋）
５５ 使用者
７０ ピンセット
１００ エクステンション
【図１】
2012219428.tif 000003
【図２】
2012219428.tif 000004
【図３】
2012219428.tif 000005
【図４】
2012219428.tif 000006
【図５】
2012219428.tif 000007
【図６】
2012219428.tif 000008